(57)【要約】【課題】通信機器に接続される光ケーブルを適切に整線処理する。【解決手段】軸方向に延びるスリットを有する筒形状で、スリットを介して通信機器に接続されるインターフェースケーブルが収納保持されるホルダー本体と、ホルダー本体の軸方向に一定間隔を空けて、ホルダー本体の外周面に沿って配置される複数の突条と、ホルダー本体の外周で、且つ複数の突条のうちの隣り合う突条の間に嵌着され、スリットを介してホルダー本体の内部に引き回されるインターフェースケーブルを保持する保持リングと、通信機器の前面から所定の間隔を空けてホルダー本体を支持する支持アームと、を有する。【選択図】    図１
2015233352.tif 000002
【特許請求の範囲】
【請求項１】
軸方向に延びるスリットを有する筒形状で、前記スリットを介して通信機器に接続されるインターフェースケーブルが収納保持されるホルダー本体と、
前記ホルダー本体の軸方向に一定間隔を空けて、前記ホルダー本体の外周面に沿って配置される複数の突条と、
前記ホルダー本体の外周で、且つ前記複数の突条のうちの隣り合う突条の間に嵌着され、前記スリットを介して前記ホルダー本体の内部に引き回される前記インターフェースケーブルを保持する保持リングと、
前記通信機器の前面から所定の間隔を空けて前記ホルダー本体を支持する支持アームと、を有することを特徴とするケーブルホルダー。
【請求項２】
請求項１に記載のケーブルホルダーにおいて、
前記保持リングは、外周面の一部が軸方向に沿って切り欠かれた筒形状の部材であり、
前記保持リングは、周方向における両端部から前記周方向に切り欠かれ、前記光ケーブルが挿通される溝部を有することを特徴とするケーブルホルダー。
【請求項３】
請求項１又は請求項２に記載のケーブルホルダーにおいて、
前記ホルダー本体及び前記保持リングは、円筒形状の部材であり、
前記保持リングは、前記ホルダー本体の外周に嵌着された状態で、前記ホルダー本体の外周面に沿って回転することが可能であることを特徴とするケーブルホルダー。
【請求項４】
請求項１から請求項３のいずれか１項に記載のケーブルホルダーにおいて、
前記インターフェースケーブルは、光ケーブルであることを特徴とするケーブルホルダー。
【請求項５】
請求項４に記載のケーブルホルダーにおいて、
前記ホルダー本体の軸方向における両端部の少なくとも一方に配置され、前記ホルダー本体の軸方向における端部から前記ホルダー本体の外部に引き回される前記光ケーブルの曲率半径を最小曲率半径に維持するガイド部材を、有することを特徴とするケーブルホルダー。
【請求項６】
請求項４又は請求項５に記載のケーブルホルダーにおいて、
前記支持アームは、前記通信機器に接続された前記光ケーブルを前記ホルダー本体に収納保持したときに、前記スリットから前記ホルダー本体の内部に引き回される前記光ケーブルの曲率半径を最小曲率半径に維持できる長さを有することを特徴とするケーブルホルダー。
【請求項７】
請求項４から請求項６のいずれか１項に記載のケーブルホルダーにおいて、
前記支持アームは、前記通信機器の表面パネルに設けられた係止孔に係止される係止部を先端部に有することを特徴とするケーブルホルダー。
【請求項８】
請求項７に記載のケーブルホルダーにおいて、
前記係止部は、前記支持アームの延出方向に延びるスリットを先端に有することで、弾性片を有し、
前記弾性片は、
前記係止部を前記係止孔に挿通させたときに、前記表面パネルの裏面で且つ前記係止孔の周縁部に係止される爪部と、
前記係止部を前記係止孔に挿通させたときに、前記係止部の前記係止孔への挿通を規制する受け部と、を有することを特徴とするケーブルホルダー。
【発明の詳細な説明】
【技術分野】
【０００１】
本発明は、ケーブルホルダーに関する。
【背景技術】
【０００２】
ルータ機能やスイッチ機能を有する通信機器は、専用のラックやキャビネットなどに収納された状態で、光ケーブルなどのインターフェースケーブルを接続している。通信機器に接続されるインターフェースケーブルは、専用のラックやキャビネットの支柱や側面に設けたケーブルホルダーに包縛され、専用のラックやキャビネットの側面に沿って引き回されている（特許文献１参照）。
【先行技術文献】
【特許文献】
【０００３】
【特許文献１】特開２００１−２２３４８４号公報
【発明の概要】
【発明が解決しようとする課題】
【０００４】
上述した通信機器は、通信機器の動作状態を表示する表示部や、通信機器を操作する操作部の他、インターフェースケーブルのコネクタが嵌合されるコネクタ部を前面に有する。通信機器の前面に配置されたコネクタ部が複数配置された場合、接続されるインターフェースケーブルは、通信機器の前面で束ねられ、専用のラックやキャビネットの側面に沿って引き回される。したがって、接続されるインターフェースケーブルが多いほど、通信機器の前面を塞ぐことになる。その結果、通信機器の前面に配置された表示部を視認しづらく、また操作部を操作しづらくする。また、インターフェースケーブルが光ケーブルとなる場合、束ねた光ケーブルを引き回す際に、光ケーブルの最小曲率半径（例えば３０ｍｍ）を保持することが困難となる場合が発生する。
【０００５】
本件開示のケーブルホルダーは、通信機器の前面の表示部を容易に視認でき、また操作部を容易に操作できるように、通信機器に接続されるインターフェースケーブルを適切に整線処理する技術を提供することを目的とする。
【課題を解決するための手段】
【０００６】
一つの観点によれば、軸方向に延びるスリットを有する筒形状で、前記スリットを介して通信機器に接続されるインターフェースケーブルが収納保持されるホルダー本体と、前記ホルダー本体の軸方向に一定間隔を空けて、前記ホルダー本体の外周面に沿って配置される複数の突条と、前記ホルダー本体の外周で、且つ前記複数の突条のうちの隣り合う突条の間に嵌着され、前記スリットを介して前記ホルダー本体の内部に引き回される前記インターフェースケーブルを保持する保持リングと、前記通信機器の前面から所定の間隔を空けて前記ホルダー本体を支持する支持アームと、を有することを特徴とする。
【発明の効果】
【０００７】
本件開示の光コネクタ用アダプタは、通信機器に接続されるインターフェースケーブルを適切に整線処理することで、通信機器の前面の表示部を容易に視認でき、また操作部を容易に操作できる。
【図面の簡単な説明】
【０００８】
【図１】通信機器の一例を示す斜視図である。
【図２】通信機器の表面パネルとケーブルホルダーを分離して示す斜視図である。
【図３】（ａ）はホルダー本体の上面図、（ｂ）はｘｚ平面におけるホルダー本体の側面図、（ｃ）はｙｚ平面におけるホルダー本体の側面図である。
【図４】（ａ）は支持アームの係止部を表面パネルの係止孔に位置合わせした状態を示す断面図、（ｂ）は支持アームの係止部を表面パネルの係止孔に係止させた状態を示す断面図である。
【図５】通信機器とケーブルホルダーとの位置関係を示す上面図である。
【図６】（ａ）はガイド部材の斜視図、（ｂ）はｚ方向から見たガイド部材の側面図、（ｃ）は（ｂ）におけるＡ−Ａ断面図である。
【図７】（ａ）はホルダー本体にガイド部材を取り付ける前の状態を示す断面図、（ｂ）はホルダー本体にガイド部材を取り付けた後の状態を示す断面図である。
【図８】（ａ）は保持リングの斜視図、（ｂ）はｘ方向から見た保持リングの正面図、（ｃ）はｙ方向から見た保持リングの正面図である。
【図９】光ケーブルの光コネクタを光コネクタ用アダプタに嵌合した状態を示す斜視図である。
【図１０】光ケーブルをケーブルホルダーの内部に収納した状態で、保持リングを回転させる場合を示す斜視図である。
【図１１】光ケーブルを保持した状態を示す斜視図である。
【発明を実施するための形態】
【０００９】
図１及び図２は、本発明の一実施形態に係るケーブルホルダーを用いたインターフェースケーブルの整線構造を示す。以下、インターフェースケーブルとして光ケーブルを用いた場合を示す。通信機器１０は、専用のラックやキャビネットなどに収納された状態で、他の電子機器と接続される。通信機器１０の前面には、他の電子機器との間の接続を行うための光ケーブル１５が複数接続される。
【００１０】
通信機器１０の表面パネル１１は、複数の光コネクタ用アダプタ１２の一部を露呈する。複数の光コネクタ用アダプタ１２は、光ケーブル１５の一端部に設けた光コネクタ１６を嵌合する。
【００１１】
通信機器１０の表面パネル１１は、複数の光コネクタ用アダプタ１２を露呈する他、光コネクタ１６とは異なる通信規格に基づいたコネクタを嵌合するコネクタ部１７を露呈する。また、通信機器１０の表面パネル１１は、通信機器１０の動作状態を表示する表示部１８を有する。
【００１２】
ケーブルホルダー２０は、通信機器１０の表面パネル１１に取り付けられる。ケーブルホルダー２０は、通信機器１０に接続された光ケーブル１５の一部を収納保持して、通信機器１０に接続される光ケーブル１５を整線する。ケーブルホルダー２０は、ホルダー本体２５、ガイド部材２６、保持リング２７を有する。
【００１３】
ホルダー本体２５は、例えば合成樹脂材を用いて生成される部材である。図３（ａ）から図３（ｃ）に示すように、ホルダー本体２５は、軸方向（ｘ方向）における両端部が開口され、上部に軸方向（ｘ方向）に延びるスリット３１を有する円筒形状の部材である。ホルダー本体２５の上部にスリット３１を有することで、通信機器１０に接続される光ケーブル１５の一部が、スリット３１を介してホルダー本体２５の内部の中空部分に収納保持される。ここで、スリット３１の幅Ｗ１は、光ケーブル１５の外径と同一、又は光ケーブル１５の外径の２倍から３倍程度の幅に設定される。
【００１４】
ホルダー本体２５は、外周面に沿った突条３２を複数有する。複数の突条３２は、ホルダー本体２５の軸方向（ｘ方向）に同一の間隔Ｌ１を空けて配置される。ここで、隣り合う突条３２間の間隔Ｌ１は、保持リング２７の幅Ｌ２と同一幅、又は保持リング２７を嵌着したときに、ｘ方向に遊び程度で移動できる幅に設定される。
【００１５】
ホルダー本体２５は、軸方向（ｘ方向）における両端部の外周面下部に、係止突起３３を有する。係止突起３３は、ホルダー本体２５の端部にガイド部材２６を取り付けたときに、ガイド部材２６の挟持片５１に設けた係合孔５２に入り込む。
【００１６】
ホルダー本体２５は、軸方向（ｘ方向）における両端部に、ｙ方向に延出する支持アーム３５を有する。支持アーム３５は、ホルダー本体２５に有するスリット３１が上部に位置するように、ホルダー本体２５に配置される。図示は省略するが、支持アーム３５は、例えばスリット３１の中心に対して、例えば９０°程度の間隔を空けてホルダー本体２５に配置される。なお、支持アーム３５は、ホルダー本体２５と一体であってもよいし、別体であってもよい。また、通信機器１０に接続された光ケーブル１５をホルダー本体２５の内部に引き回すことができればよいので、支持アーム３５は、例えばスリット３１の中心に対して、例えば９０°以下の間隔を空けてホルダー本体２５に配置してもよい。
【００１７】
支持アーム３５は、先端に係止部３６を有する。係止部３６は、ケーブルホルダー２０を通信機器１０の表面パネル１１に取り付ける際に、表面パネル１１に設けた係止孔４０（図２参照）に挿通される。係止部３６は、支持アーム３５の先端に有するスリット４１により、上下一対の弾性片４２，４３を有する。弾性片４２は、先端部に位置する爪部４４と、爪部４４に対して幅Ｗ２を空けて配置される受け部４５とを有する。ここで、幅Ｗ２は、表面パネル１１の厚みと同一の間隔又は表面パネル１１の厚みよりも若干広い間隔である。弾性片４３は、弾性片４２と同様にして、先端部に位置する爪部４６と、爪部４６に対して間隔Ｗ２を空けて配置される受け部４７とを有する。
【００１８】
図４（ａ）に示すように、支持アーム３５を表面パネル１１に取り付けるときには、支持アーム３５の先端に有する係止部３６を表面パネル１１の係止孔４０にそれぞれ位置合わせし、支持アーム３５の係止部３６を表面パネル１１の係止孔４０に押し込む。支持アーム３５の係止部３６を表面パネル１１の係止孔４０に押し込むと、弾性片４２が弾性片４３に向けて、弾性片４３が弾性片４２に向けてそれぞれ弾性変形する。支持アーム３５の係止部３６を表面パネル１１の係止孔４０にさらに押し込むと、弾性変形した弾性片４２，４３の爪部４４，４６が係止孔４０の内壁面に摺接されながら係止孔４０に挿通される。そして、係止部３６の受け部４５，４７が表面パネル１１に当接されると、支持アーム３５の係止部３６の係止孔４０への押し込みが規制される。図４（ｂ）に示すように、支持アーム３５の係止部３６の係止孔４０への押し込みが規制されると、爪部４４，４６と係止孔４０の内壁面との摺接が解除される。したがって、弾性片４２，４３が元の位置に自己復帰し、爪部４４，４６が、表面パネル１１の裏面で、且つ係止孔４０の周縁部分に係止される。
【００１９】
なお、ユーザが指で弾性片４２，４３を挟み込んだ状態で、支持アーム３５を表面パネル１１に取り付けることも可能である。この場合、係止部３６の爪部４４，４６を表面パネル１１の係止孔４０に挿通させた後、ユーザによる弾性片４２，４３の挟み込みを解除すればよい。
【００２０】
また、ケーブルホルダー２０を表面パネル１１から取り外す場合には、ユーザが指で弾性片４２，４３を挟み込み、弾性片４２，４３をそれぞれ弾性変形させた後、支持アーム３５を表面パネル１１から引き抜けばよい。
【００２１】
本実施形態では、２つの弾性片４２，４３を有する係止部３６に説明しているが、３以上の弾性片を有する係止部であってもよい。
【００２２】
上述した支持アーム３５の長さＦは、以下に設定される。図５に示すように、表面パネル１１の前面から、光コネクタ１６が光コネクタ用アダプタ１２に嵌合される一端部とは反対側となる光コネクタ１６の他端部までの長さをＦ１とする。また、光ケーブル１５の最小曲率半径をＦ２とする。表面パネル１１の前面からケーブルホルダー２０のホルダー本体２５の中心軸Ｃ１までの距離をＦ３とすると、Ｆ３＝Ｆ１＋Ｆ２となる。したがって、ホルダー本体２５の外径をＲ１とすると、支持アームの長さＦは、Ｆ＝Ｆ３−Ｒ１となる。表面パネル１１の前面からホルダー本体２５の中心軸Ｃまでの距離Ｆ３が例えば６０ｍｍ、ホルダー本体２５の外径Ｒ１が例えば１５ｍｍと仮定した場合には、支持アーム３５の長さＦは例えば４５ｍｍとなる。ここで、上述した支持アーム３５の長さＦは、光ケーブル１５の最小曲率半径を想定した一例を示すものである。したがって、距離Ｆ３を例えば６０ｍｍ、外径Ｒ１を例えば１５ｍｍと仮定した場合には、支持アーム３５の長さＦは例えば４５ｍｍ以上であることが好ましい。つまり、支持アーム３５の長さＦは、光コネクタ１６の大きさや、光コネクタ用アダプタ１２と嵌合した光コネクタ１６の表面パネル１１からの突出量の他、ホルダー本体２５の外径Ｒ１などを考慮して、光ケーブル１５の最小曲率半径を維持できるように設定することが好ましい。
【００２３】
ガイド部材２６は、ホルダー本体２５の両端部の何れか一方の端部、又はホルダー本体２５の両端部に取り付けられる。図６（ａ）から図６（ｃ）に示すように、ガイド部材２６は、ホルダー本体２５に取り付けられる一端部から他端部に向けて下方に湾曲する基部５０を有する。以下、ホルダー本体２５に取り付けられるガイド部材２６の一端部を上流側端部と称し、ガイド部材２６の他端部を下流側端部と称する。
【００２４】
基部５０は、ｙ方向の幅が上流側端部から下流側端部に向けて幅広となり、また、ｙ方向における両端部から中央部分に向けて下方に湾曲した形状となる。なお、基部５０の上流側端部の形状は、下方に湾曲する円弧形状である。ここで、基部５０の上流側端部の外径は、ホルダー本体２５の内径と同一の半径、又はホルダー本体２５の内径よりも若干小さい半径である。なお、基部５０の下流側端部の形状は、上流側端部の形状と同様に円弧形状としてもよいし、楕円弧形状としてもよい。
【００２５】
上述したように基部５０は、上流側端部から下流側端部に向けて下方に湾曲している。基部５０の上面におけるｘｚ平面上における半径Ｒ２は、例えばホルダー本体２５に収納される光ケーブル１５の最小曲率半径が維持できる半径（例えば３０ｍｍ以上）に設定される。
【００２６】
挟持片５１は、基部５０の下方に幅Ｗ３を空けて、基部５０の上流側端部に沿った円弧状の部材である。ここで、幅Ｗ３は、ホルダー本体２５の一端部の厚みと同一の幅又はホルダー本体２５の一端部の厚みよりも若干広い幅である。挟持片５１は、ガイド部材２６をホルダー本体２５に取り付けたときに、基部５０の上流側端部との間で、ホルダー本体２５の一端部を挟み込む。挟持片５１は、ホルダー本体２５の端部の外周面下部に設けた係止突起３３が係止される係止孔５２を有する。
【００２７】
上述したガイド部材２６は、ホルダー本体２５の端部に取り付けられる。図７（ａ）に示すように、ガイド部材２６は、基部５０と挟持片５１との間にホルダー本体２５の一端部が位置するように、ホルダー本体２５に対して位置合わせされる。ホルダー本体２５の一端部に対して位置合わせした後、ガイド部材２６はホルダー本体２５に向けて押し込まれる。図７（ｂ）に示すように、ガイド部材２６がホルダー本体２５に向けて押し込まれると、ホルダー本体２５の端部の外周面下部に有する係止突起３３が、挟持片５１の係止孔５２に係止される。
【００２８】
保持リング２７は、ホルダー本体２５の外周部分に嵌着され、ホルダー本体２５のスリット３１からホルダー本体２５の内部に引き回される光ケーブル１５を保持する。図８（ａ）に示すように、保持リング２７は、外周面の一部が軸方向に沿って切り欠かれた円筒状の部材である。ここで、保持リング２７の内径Ｒ３は、ホルダー本体２５の外径Ｒ１と同一の半径又はホルダー本体２５の外径Ｒ１よりも若干大きい半径である。図８（ｂ）に示すように、保持リング２７は、ホルダー本体２５に嵌着された状態で保持される。したがって、保持リング２７は、中心軸Ｃ２から保持リング２７の円周方向における一端部を結ぶ直線と、中心軸Ｃ２から保持リング２７の円周方向における他端部を結ぶ直線とがなす角度θ２が例えば２７０°＜θ２＜３３０°となるように設定される。保持リング２７の幅Ｌ２は、ホルダー本体２５の外周面に設けた複数の突条３２のうち、隣り合う突条３２間の間隔Ｌ１と同一の幅、又は隣り合う突条３２間の間隔よりも若干狭い幅である。
【００２９】
保持リング２７の円周方向における両端部には、２つの溝部５６がそれぞれ設けられる。各溝部５６の幅Ｗ４は、光ケーブル１５の外径と同一の幅、又は光ケーブル１５の外径よりも若干広い幅である。なお、溝部５６の数は１つでもよい。また、保持リング２７の幅Ｌ２が広い場合には、溝部５６を３以上設けることも可能である。ここで、上述した溝部５６の長さは、保持リング２７が光ケーブル１５を確実に保持することを考慮して、例えばホルダー本体２５のスリット３１の幅Ｗ１以上に設定されることが好ましい。
【００３０】
保持リング２７をホルダー本体２５に嵌着する場合、保持リング２７の円周方向における両端部をホルダー本体２５に押し当てる。保持リング２７の円周方向における両端部をホルダー本体２５に押し当てると、保持リング２７の両端部がホルダー本体２５の外周面に沿って押し広げられる。これにより、保持リング２７にホルダー本体２７が入り込む。そして、ホルダー本体２５が保持リング２７に入り込むと、保持リング２７の両端部は、自己復帰して、元の状態に戻る。これにより、保持リング２７がホルダー本体２５に嵌着される。保持リング２７がホルダー本体２５に嵌着された状態では、保持リング２７が、ホルダー本体２５に沿って回転することが可能となる。
【００３１】
次に、通信機器１０に光ケーブル１５を接続する場合に、光ケーブル１５をケーブルホルダー２０に収納する方法について説明する。以下、ケーブルホルダー２０が通信機器の前面に取り付けられていることを前提にして説明する。また、ホルダー本体２５に保持リング２７が嵌着されている場合を説明する。
【００３２】
図９に示すように、光ケーブル１５の一端部に有する光コネクタ１６は、通信機器１０の表面パネル１１から露呈される光コネクタ用アダプタ１２に嵌合される。この状態では、光ケーブル１５は、ケーブルホルダー２０によって整線処理されていない。光コネクタ１６を光コネクタ用アダプタ１２に嵌合させた後、光ケーブル１５は、ホルダー本体２５のスリット３１を介して、ホルダー本体２５の内部に向けて引き回される。したがって、光ケーブル１５の一端がホルダー本体２５から引き出された状態に整線される。一方、ホルダー本体２５の内部に収納された光ケーブル１５は、ホルダー本体２５の一端部からホルダー本体２５の外部に向けて引き回される。ホルダー本体２５の一端部からホルダー本体２５の外部に向けて引き回される光ケーブル１５は、ガイド部材２６に沿って下方に湾曲される。ここで、ガイド部材２６の基部５０は、光ケーブル１５の最小曲率半径を維持できるように湾曲している。したがって、ガイド部材２６に沿って下方に湾曲される光ケーブル１５は、引き回される過程で最小曲率半径が維持される。なお、ガイド部材２６に沿って下方に湾曲される光ケーブル１５は、専用のラックやキャビネットの支柱や側面に沿って引き回される。
【００３３】
図１０に示すように、ホルダー本体２５の内部に光ケーブル１５が収納された後、保持リング２７はＰ方向に回転される。保持リング２７を回転させたときに、スリット３１を介してホルダー本体２５の内部に引き回される光ケーブル１５は、保持リング２７の溝部５６に挿入される。保持リング２７は、隣り合う突条３２の間に嵌着される。ここで、スリット３１から引き出された光ケーブル１５は、湾曲されることで復帰力が生じる。したがって、光ケーブル１５が保持リング２７の溝部５６に挿入された状態では、光ケーブル１５は保持リング２７をｘ方向に押圧している。一方、保持リング２７は突条３２によりｘ方向への移動が規制される。したがって、スリット３１を介してホルダー本体２５の内部に引き回される光ケーブル１５の位置が保持リング２７により固定される（図１１参照）。
【００３４】
このように、通信機器１０の表面パネル１１から露呈する光コネクタ用アダプタ１２に光ケーブル１５の光コネクタ１６を嵌合させる毎に、上述した整線処理を実行する。光ケーブル１５の整線処理により、光ケーブル１５はケーブルホルダー２０の内部に収納保持される。したがって、通信機器１０の表面パネル１１を被覆することがなくなり、表示部１８の表示を視認しやすくなる。また、表面パネル１１に操作部を有する場合には、操作部の操作を行いやすくすることができる。
【００３５】
ここで、ケーブルホルダー２０は、表面パネル１１の前面に配置される。したがって、専用のラックやキャビネット内に、複数の通信機器を上下に配置する場合には、各通信機器に接続する光ケーブルを他の通信機器に誤って接続することが防止される。また、ケーブルホルダー２０の内部に、通信機器に接続される光ケーブル１５を収納保持することから、目的の光ケーブル１５が弛んで整線され、他の通信機器に影響を与えることが防止される。
【００３６】
また、光コネクタ用アダプタ１２に嵌合した光コネクタ１６を取り外す場合には、光コネクタ１６を光コネクタ用アダプタ１２から取り外した後、保持リング２７をＰ方向とは逆方向に回転させる。保持リング２７をＰ方向とは逆方向に回転させると、光ケーブル１５は、保持リング２７の溝部５６から取り外される。保持リング２７による固定が解除された光ケーブル１５は、ホルダー本体２５に設けたスリット３１から取り出される。
【００３７】
なお、光ケーブル１５は、光コネクタ１６を光コネクタ用アダプタ１２に嵌合させた後に整線処理を行っているが、先に整線処理を行った後で、光コネクタ１６を光コネクタ用アダプタ１２に嵌合させることも可能である。
【００３８】
また、保持リング２７をＰ方向に回転させることで、保持リング２７の溝部５６に光ケーブル１５を挿入させる場合について説明している。しかしながら、保持リング２７の円周方向における両端部は、溝部５６を有している。したがって、保持リング２７をＰ方向とは反対方向に回転させて、光ケーブル１５の位置を固定することも可能である。
【００３９】
本実施形態では、ホルダー本体２５を円弧状の筒部材としているが、楕円弧状の筒部材や、中心軸に直交するホルダー本体の断面が多角形などの筒部材としてもよい。ホルダー本体を楕円弧状の筒部材や断面が多角形などの筒部材とする場合には、整線する光ケーブルをホルダー本体に収納保持した後、保持リングをホルダー本体に嵌着して、スリットから引き出された光ケーブルを固定保持すればよい。
【符号の説明】
【００４０】
１０…通信機器、１２…光コネクタ用アダプタ、１５…光ケーブル、１６…光コネクタ、２０…ケーブルホルダー、２５…ホルダー本体、２６…ガイド部材、２７…保持リング、３５…支持アーム、３６…係止部
【図１】
2015233352.tif 000003
【図２】
2015233352.tif 000004
【図３】
2015233352.tif 000005
【図４】
2015233352.tif 000006
【図５】
2015233352.tif 000007
【図６】
2015233352.tif 000008
【図７】
2015233352.tif 000009
【図８】
2015233352.tif 000010
【図９】
2015233352.tif 000011
【図１０】
2015233352.tif 000012
【図１１】
2015233352.tif 000013